(57)【要約】【課題】  簡単な操作にて記録媒体の容量を増加させる。【解決手段】  記録媒体に記録された情報データを再生する再生手段と、前記情報データにおける再生停止位置を記憶する停止位置記憶手段と、前記情報データの削除指示に応じて、前記情報データの先頭から前記記憶された再生停止位置までの情報データを前記記録媒体から削除する管理手段とを備える。【選択図】  図８
2005235333.tif 000002
【特許請求の範囲】
【請求項１】
記録媒体に記録された情報データを再生する再生手段と、
前記情報データにおける再生停止位置を記憶する停止位置記憶手段と、
前記情報データの削除指示に応じて、前記情報データの先頭から前記記憶された再生停止位置までの情報データを前記記録媒体から削除する管理手段とを備える再生装置。
【請求項２】
前記記録媒体には複数の前記情報データが記録されており、前記停止位置記憶手段は前記複数の情報データの再生停止位置をそれぞれ記憶し、前記管理手段は前記複数の情報データについて、それぞれ先頭から再生停止位置に応じた位置までの情報データを削除することを特徴とする請求項１記載の再生装置。
【請求項３】
前記停止位置記憶手段は、前記情報データの再生停止の指示に応じて前記複数の情報データとその再生停止位置とを対応付けた位置情報リストを生成し、前記管理手段による前記情報データの削除処理に応じて前記位置情報リストを消去することを特徴とする請求項２記載の再生装置。
【請求項４】
前記位置情報リストに記述された複数の情報データのうちの一つが選択されて再生開始の指示があったことに応じて、前記選択された情報データの停止位置情報に応じた再生停止位置より前記選択された情報データの再生を開始するよう前記再生手段を制御する制御手段とを備えることを特徴とする請求項３記載の再生装置。
【請求項５】
前記管理手段は、前記記録媒体上に記録されている情報データを管理するための管理情報の内容を変更することにより前記情報データを削除することを特徴とする請求項１記載の再生装置。
【請求項６】
記録媒体に記録された情報データを再生する再生手段と、
前記記録媒体に対してデータを記録する記録手段と、
前記情報データにおける再生停止位置を記憶する停止位置記憶手段と、
再圧縮の指示に応じて、前記記録媒体に記録された前記情報データの先頭から前記記憶された再生停止位置に応じた位置までの情報データの情報量を圧縮してその情報量を削減した圧縮情報データを生成する生成手段と、
再圧縮の指示に応じて、前記情報データの先頭から前記記憶された再生停止位置に応じた位置までの情報データを前記記録媒体から削除すると共に、前記生成手段により生成した前記圧縮情報データを前記記録手段により前記記録媒体に記録する制御手段とを備える情報処理装置。
【請求項７】
前記情報データは任意に指定された圧縮率にてその情報量が圧縮されて前記記録媒体に記録されており、前記生成手段は、前記情報データを前記指定された圧縮率よりも高い圧縮率にて圧縮することにより前記圧縮情報データを生成することを特徴とする請求項６記載の情報処理装置。
【請求項８】
前記記録媒体には複数の前記情報データが記録されており、前記停止位置記憶手段は前記複数の情報データの再生停止位置をそれぞれ記憶し、前記生成手段は前記複数の情報データについて、それぞれ先頭から再生停止位置に応じた位置までの情報データの情報量を削減した圧縮情報データを生成し、前記制御手段は、前記複数の情報データの先頭から再生停止位置に応じた位置までを前記記録媒体から削除すると共に、前記複数の圧縮情報データを前記記録手段により前記記録媒体に記録することを特徴とする請求項６記載の情報処理装置。
【請求項９】
前記制御手段は、前記複数の情報データのうち、削除が禁止されている情報データ以外の情報データに対して前記圧縮情報データを生成して前記記録媒体に記録するよう前記生成手段と記録手段とを制御することを特徴とする請求項８記載の情報処理装置。
【請求項１０】
前記情報データは一つのファイルとして前記記録媒体に記録されており、前記制御手段は、前記再圧縮の指示に応じて前記再生停止位置にて前記情報データを二つのファイルに分割すると共に、前記圧縮情報データを新たに一つのファイルとして前記記録媒体に記録するよう前記記録手段を制御することを特徴とする請求項６記載の情報処理装置。
【請求項１１】
前記制御手段は更に、前記情報データに対して過去に前記再圧縮処理を行ったことがあった場合、前記過去の再圧縮処理の際に記録した圧縮情報データファイルと今回の再圧縮処理により生成した圧縮情報データのファイルを結合して一つのファイルとすることを特徴とする請求項１０記載の情報処理装置。
【請求項１２】
前記停止位置記憶手段は、前記再圧縮処理により生成した圧縮情報データのファイルを識別するための圧縮ファイル識別情報を前記情報データの再生停止位置と共に記憶することを特徴とする請求項１０記載の情報処理装置。
【請求項１３】
前記制御手段は更に、前記情報データの再生開始の指示に応じて、前記停止位置記憶手段により記憶された再生停止位置に応じた位置から引き続き前記情報データを再生するよう前記再生手段を制御することを特徴とする請求項６記載の情報処理装置。
【請求項１４】
新たに前記情報データを記録するために必要な記録容量を指定する指定手段を備え、前記生成手段は、前記情報データの先頭から再生停止位置に応じた位置までの情報データを前記記録媒体から削除し、前記圧縮情報データを記録した結果、前記記録媒体の記録残容量が前記指定手段により指定された記録容量以上となるよう前記圧縮情報データの情報量を決定することを特徴とする請求項６記載の情報処理装置。
【請求項１５】
前記記録媒体はディスク状記録媒体を含むことを特徴とする請求項６記載の情報処理装置。
【請求項１６】
前記記録媒体はランダムアクセス媒体を含むことを特徴とする請求項６記載の情報処理装置。
【請求項１７】
前記情報データは符号化された動画像データを含むことを特徴とする請求項６記載の情報処理装置。
【請求項１８】
前記再生停止位置より所定期間前の位置を前記再生停止位置に応じた位置とすることを特徴とする請求項６記載の情報処理装置。
【請求項１９】
それぞれ符号化された動画像データを含む複数の画像ファイルをディスク状記録媒体から再生する再生手段と、
前記複数の画像ファイルにおける再生停止位置をそれぞれ記憶する停止位置記憶手段と、
前記複数の画像ファイルのうちの選択された一つの画像ファイルの再生開始の指示に応じて、前記停止位置記憶手段により記憶された停止位置より前記選択された画像ファイルの再生を開始するよう前記再生手段を制御する制御手段と、
データ削除の指示に応じて、前記複数の画像ファイルの先頭から前記記憶された再生停止位置までの動画像データをそれぞれ前記ディスク状記録媒体から削除する管理手段とを備える再生装置。
【請求項２０】
それぞれ符号化された動画像データを含む複数の画像ファイルをディスク状記録媒体から再生する再生手段と、
前記複数の画像ファイルにおける再生停止位置をそれぞれ記憶する停止位置記憶手段と、
前記ディスク状記録媒体に対して動画像データを記録する記録手段と、
再符号化の指示に応じて、前記記録媒体に記録された複数の前記画像ファイルにおける先頭から再生停止位置までの動画像データの情報量を圧縮してその情報量を削減した圧縮画像データを生成する生成手段と、
再符号化の指示に応じて、それぞれ前記複数の画像ファイルにおける先頭から再生停止位置までの動画像データを前記ディスク状記録媒体から削除する管理手段と、
前記複数の画像ファイルのうちの選択された一つの画像ファイルの再生開始の指示に応じて、前記停止位置記憶手段により記憶された停止位置より前記選択された画像ファイルの再生を開始するよう前記再生手段を制御すると共に、前記生成手段により生成された前記複数の画像ファイルに対する圧縮画像データを前記記録手段により前記記録媒体に記録する制御手段とを備える情報処理装置。
【請求項２１】
それぞれ符号化された動画像データを含む複数の画像ファイルを記録媒体から再生する再生手段と、
データ削除の指示に応じて、前記複数の画像ファイルにおける再生済み部分の動画像データをそれぞれ前記記録媒体から削除する管理手段とを備える再生装置。
【請求項２２】
前記複数の画像ファイル毎に再生済み部分の情報を記憶する記憶手段を備え、前記管理手段は前記記憶手段に記憶された再生済み部分の情報に基づいて前記複数の画像ファイルにおける再生済み部分の動画像データを削除することを特徴とする請求項２１記載の再生装置。
【請求項２３】
それぞれ符号化された動画像データを含む複数の画像ファイルを記録媒体から再生する方法であって、データ削除の指示に応じて、前記複数の画像ファイルにおける再生済み部分の動画像データをそれぞれ前記記録媒体から削除する再生方法。
【発明の詳細な説明】
【技術分野】
【０００１】
本発明は再生装置に関し、特に、記録媒体に記録された情報データの削除処理に関する。
【背景技術】
【０００２】
近年、ハードディスクやＤＶＤ（Ｄｉｇｉｔａｌ  Ｖｅｒｓａｔｉｌｅ  Ｄｉｓｃ）などのランダムアクセスメディアに対して画像データや音声データをデジタルデータとして記録する装置が普及している。この様なディスクレコーダにおいては、従来のＶＴＲの様にビデオテープの交換やテープの巻き戻しなどの面倒な操作を行うことなく、所望の番組の所望の位置から画像を再生して楽しむことが可能となった。また、記録した番組を好きなところまで再生して一旦視聴するのをやめても、次回の再生時にはその続きの位置から再生するというレジューム機能を持つことも一般的になってきた（例えば、特許文献１参照）。
【０００３】
また、ディスクに保存した番組のデータの一部を削除したり、複数の番組を結合して一つのファイルとして保存するなどの、簡易的な編集機能を持つものもある。
【特許文献１】特開２００２−１１２２０１
【発明の開示】
【発明が解決しようとする課題】
【０００４】
近年では、ディスク媒体の容量が数十ギガバイト〜１００数十ギガバイトとなるなど、記憶容量は増加しているものの、やはり限界があり、情報量の多い番組を多数記録するとディスクの容量が不足することになる。
【０００５】
そこで、この様な場合には、記録されている番組のデータを削除することで媒体の容量を増やす必要がある。
【０００６】
しかし、この場合、ユーザはディスクに記録されている番組を一つ一つ確認しながら、削除すべき番組を選択する必要があり、大変面倒である。
【０００７】
本発明はこの様な問題を解決し、簡単な操作にて記録媒体の容量を増加させることを目的とする。
【課題を解決するための手段】
【０００８】
この様な目的を達成するため、本発明においては、記録媒体に記録された情報データを再生する再生手段と、前記情報データにおける再生停止位置を記憶する停止位置記憶手段と、前記情報データの削除指示に応じて、前記情報データの先頭から前記記憶された再生停止位置までの情報データを前記記録媒体から削除する管理手段とを備える。
【発明の効果】
【０００９】
本発明によれば、簡単な操作にて不要なデータを削除して記録媒体の残容量を増加させることが可能となる。
【発明を実施するための最良の形態】
【００１０】
以下、本発明の実施形態について説明する。
【００１１】
本実施形態では、ＤＶＤ−ＲＡＭディスクに対してデジタル画像データを記録再生するディスクレコーダに対して本発明を適用した場合について説明する。
【００１２】
まず、本実施形態にて用いる光ディスクの説明をする。
【００１３】
図２は光ディスクの外観である。図２において、光ディスクは、記録層２０２が設けられた一対の透明基板２０１を接着層２０３で貼り合わせた構造である。各基板２０１は０。６ｍｍ厚のポリカーボネイトで成形されており、接着層２０３は例えば４０μｍ厚の紫外線硬化性樹脂で構成されている。これら一対の基板２０１を、記録層２０２が接着層２０３の面上で接触するように貼り合わせ、１．２ｍｍ厚の大容量光ディスクが構成されている。２０５は中心穴であり、２０９はクランプエリアである。２１０は情報エリアであり、２０７はリードアウトエリア、２０８はリードインエリア、２０４はデータ記録エリアである。情報エリア２１０の記録層には記録トラックが例えばスパイラル状に連続して形成されている。連続トラックは物理セクタに分割され、このセクタには連続番号が付されている。このセクタを記録単位としている。
【００１４】
本形態では、この様な光ディスクをカートリッジに収納した形態でレコーダに挿入する。ＤＶＤ−ＲＡＭディスクＤがカートリッジに収納された状態で不図示の装着、排出機構によりディスク記録再生装置に装填され、カートリッジが引き出されると、光ディスクのみが記録再生装置内に残るようになっている。記録層２０２のデータ記録トラックは、一定記憶容量の複数論理セクタ（最小記録単位）に分割され、この論理セクタを基準にデータが記録されている。１つの論理セクタの記録容量は、１パックデータ長と同じ２０４８バイトに決められている。
【００１５】
次に、光ディスク内のファイル構造に付いて説明する。
【００１６】
まず、ディレクトリ構成の一例を図３に示す。上述したような光ディスクでは映像・静止画・音楽データ等を扱っている。このためディレクトリ構造は、ＲＯＯＴから「ＭＯＶＩＥ」（映像情報用ディレクトリ）、「ＳＴＩＬＬ」（静止画データ用ディレクトリ）、「ＳＯＵＮＤ」（音楽用ディレクトリ）が配される。
【００１７】
本形態では映像情報を例にとって後述する部分削除や分割再符号化とデータファイルの関連を説明するため、ディレクトリ「ＭＯＶＩＥ」を開示している。ディレクトリ「ＭＯＶＩＥ」の下には図示するように、「ＴＡＫＥ０」「ＴＡＫＥ１」「ＴＡＫＥ２」等の映像情報ファイルが形成される。なお、これらのディレクトリやファイルの名前（「ＭＯＶＩＥ」や「ＴＡＫＥ０」）等や、ディレクトリやファイルの種類は、説明上仮に設定したものである。
【００１８】
映像情報ファイルとは、例えばデジタルビデオカムコーダやＤＶＤリーダ／レコーダ等で録画した動画データである。
【００１９】
図１は図２に示したディスクＤに対してデジタル画像データを記録再生するディスクレコーダ１００の構成を示す図である。
【００２０】
図１において、１０１はチューナやアンテナなどを含み、指定されたチャンネルのテレビ放送を受信して、デジタル画像、音声データとして出力する入力部、１０２は画像データや音声データをＭＰＥＧ方式に従って符号化、復号化する符号化処理部、１０３は各部の処理に用いられるメモリ、１０４は入力部１０１から入力されたデータあるいは、ディスクＤから再生されたデータを外部モニタなどに出力する出力部、１０５は各部を制御する制御部、１０６は電源スイッチや記録スイッチ、再生スイッチ、部分削除スイッチなどの各種のスイッチを備える操作部、１０７はディスクＤに対するデータの記録、再生、削除の指示に伴ってディスクＤ上のファイル等を管理するディスク管理部、１０８はディスクＤに記録された各ファイル（番組）における再生停止位置を管理する停止位置管理部、１０９はディスクＤに対して各種のデータを記録再生するディスクＩ／Ｆである。
【００２１】
この様な図１のレコーダ１００における記録時の処理を説明する。
【００２２】
操作部１０６により記録開始の指示があると、制御部１０５は符号化処理部１０２、ディスクＩ／Ｆ１０９を制御して記録を開始する。即ち、符号化処理部１０２は操作部１０６にて指定されたデータレートとなるよう、入力部１０１から入力されている画像、音声データを符号化する。ディスクＩ／Ｆ１０９は符号化処理部１０２により符号化されたデータをディスクＤに記録する。このときディスクＤにおける記録位置などは、ディスク管理部１０７により管理される。そして、記録停止の指示があると、ディスクＩ／Ｆ１０９はディスクＤへのデータの記録を停止し、ディスク管理部１０７は記録開始から停止までの一連のデータを一つのファイルとして管理する。また、ファイルとして保存するために必要なデータをディスクＩ／Ｆ１０９に出力してディスクＤに記録する。
【００２３】
次に、再生時の処理を説明する。
【００２４】
操作部１０６によりディスクＤに記録された複数の番組から再生すべき番組のファイルが指定され、再生開始の指示があると、制御部１０５はディスク管理部１０７とディスクＩ／Ｆ１０９に対して指定されたファイルの再生を開始するよう指示を出す。
【００２５】
ディスク管理部１０７は指定されたファイルの記録位置をディスクＩ／Ｆ１０９に対して指示し、ディスクＩ／Ｆ１０９は指定されたファイルをディスクＤから再生する。
【００２６】
符号化処理部１０２は再生されたファイルのデータを復号して出力部１０４に出力し、出力部１０４は外部機器に対して復号された画像、音声データを出力する。
【００２７】
この様な状態で再生停止の指示があると、制御部１０５は再生停止の指示をディスク管理部１０７及びディスクＩ／Ｆ１０９に出力する。ディスク管理部１０７は再生停止の指示に応じて、現在再生中のファイルの先頭からの経過時間を検出して位置情報管理部１０８に渡す。位置情報管理部１０８は後述の如くディスクＤ上に記録されたファイル毎に再生停止位置の情報を管理する。また、ディスクＩ／Ｆ１０９はディスクＤからのデータの再生を停止する。
【００２８】
次に、位置情報管理部１０８で管理する位置情報リストについて説明する。
【００２９】
図４は各動画ファイル「ＴＡＫＥ０，ＴＡＫＥ１，ＴＡＫＥ２，ＴＡＫＥ３」の記録時間である。図４に示した識別情報はファイルパスである。また、記録時間はそれぞれＴＡＫＥ０、ＴＡＫＥ２、ＴＡＫＥ３は１８００秒（３０分）、ＴＡＫＥ１は３６００秒（６０分）である。
【００３０】
図５は位置情報管理部１０８で扱う位置情報リストのイメージ図である。５０１、５０２はそれぞれファイルの識別情報である。また、５０３はファイルの「ＲＯＯＴ／ＭＯＶＩＥ／ＴＡＫＥ０」の停止位置情報であり、その値が５００ｓとなっている。また、５０４はファイル「ＲＯＯＴ／ＭＯＶＩＥ／ＴＡＫＥ３」の停止位置情報であり、その値はＥＰである。ここで、ＥＰ（Ｅｎｄ  Ｐｏｉｎｔ）は、最後まで鑑賞が終わっていることを示す値である。
【００３１】
また、分割後の識別情報は、後述の様に分割再符号化処理を行った時に概識別情報で特定される映像ファイルから分割再符号化された映像ファイルを特定するための識別情報であり、分割フラグは、分割符号化処理を行った時に分割された映像ファイルの場合のみ１が設定されるフラグである。
【００３２】
次に、位置情報管理部１０８による位置情報リストの作成手順を図６のフローチャートを用いて説明する。ここでは、図５の位置情報リストに識別情報「ＲＯＯＴ／ＭＯＶＩＥ／ＴＡＫＥ１」を先頭から２０００ｓ再生した時点で停止した場合を例に取り説明する。
【００３３】
前述の様に、再生停止の指示があると、ディスク管理部１０７は、現在再生中のディスクの識別情報と共に停止時における先頭からの再生経過時間の情報を位置情報管理部１０８に渡す。
【００３４】
位置情報管理部１０８は、ディスク管理部１０７から送られた識別情報と停止時間の情報を取得する（Ｓ６０１、Ｓ６０２）。この場合、識別情報は「ＲＯＯＴ／ＭＯＶＩＥ／ＴＡＫＥ１」であり、また、先頭から２０００ｓ再生したので再生時間は「２０００ｓ」である。もし最後まで再生されていたら、全て再生されていることを表す値「ＥＰ」が位置情報となる。
【００３５】
次に、位置情報管理部１０８は既に作成して保存してある位置情報リストの中を検索し、取得した識別情報、ここでは「ＲＯＯＴ／ＭＯＶＩＥ／ＴＡＫＥ１」が登録済みかどうかを確認する（Ｓ６０３）。
【００３６】
図５に示した様に、識別情報「ＲＯＯＴ／ＭＯＶＩＥ／ＴＡＫＥ１」は未登録なので、位置情報リストに対して、新たに識別情報「ＲＯＯＴ／ＭＯＶＩＥ／ＴＡＫＥ１」の項目を追加する（Ｓ６０４）。続いて、追加した項目の位置情報に、Ｓ６０２で取得した位置情報「２０００ｓ」を登録し、位置情報リストの作成処理を終了する（Ｓ６０５）。
【００３７】
一方、Ｓ６０３で、取得した識別情報が既に位置情報リストに登録されている場合、識別情報「ＲＯＯＴ／ＭＯＶＩＥ／ＴＡＫＥ１」の位置情報を新たに取得した「２０００ｓ」に変更し（Ｓ６０６）、位置情報リストの作成処理を終了する。
【００３８】
なお、このとき、すでに登録されている識別情報「ＲＯＯＴ／ＭＯＶＩＥ／ＴＡＫＥ１」の位置情報が新たに取得した位置情報より後方を表す値であった場合は、位置情報を更新しないことにより、不用意に再生してしまった場合の位置情報の逆戻りを防止するようにしても良い。
【００３９】
以上の手順で作成された位置情報リストは図７のようになり、新たに７０１の識別情報「ＲＯＯＴ／ＭＯＶＩＥ／ＴＡＫＥ１」の項目が追加され、位置情報「２０００ｓ」（７０６）が登録されている。図５と同じ部分については同じ番号を記してある。
【００４０】
次に、この様に作成した位置情報リストを利用したレジューム再生時の処理を説明する。
【００４１】
操作部１０６により再生すべきファイルが指定されると、制御部１０５は指定されたファイルの情報をディスク管理部１０７に出力する。ディスク管理部１０７は指定されたファイルのファイル名の情報を位置情報管理部１０８に送る。位置情報管理部１０８は、ディスク管理部１０７より送られたファイル名の識別情報を位置情報リストから検索し、該当する識別情報があった場合にはその識別情報の項目における位置情報をディスク管理部１０７に渡す。また、検索の結果該当する識別情報がない場合にはその旨をディスク管理部１０７に知らせる。
【００４２】
ディスク管理部１０７は位置情報管理部１０８より停止位置情報が出力された場合には、この停止位置の情報をディスクＩ／Ｆ１０９に送り、停止位置情報が無かった場合には指定されたファイルの先頭位置の情報をディスクＩ／Ｆ１０９に送る。ディスクＩ／Ｆ１０９は、ディスク管理部１０７から停止位置の情報が送られた場合には、その停止位置から指定されたファイルのデータの再生を開始し、ファイルの先頭位置の情報が送られた場合には、指定されたファイルの先頭からデータの再生を開始する。
【００４３】
次に、この様に作成した位置情報リストを利用して、既に再生した部分のデータを一括して自動的にディスクＤから削除する部分削除処理について説明する。
【００４４】
ここで、本形態におけるデータの削除について説明する。
【００４５】
本形態では、ディスク管理部１０７によりディスクＤに記録されているデータを管理している。即ち、ディスク管理部１０７は、ディスクＤに記録されている各ファイルの記録位置やファイル名、ファイルサイズ、更にはディレクトリの構成などを示す管理情報を用いてディスクＤに対するデータの記録、再生処理を制御している。そして、ディスクからデータを削除する場合にも、実際にディスク上に記録されているデータを書きかえるのではなく、ディスク上の指定されたアドレス（セクタ）の記録状態を無記録状態を示す内容に書き変えることで、データの削除を実現している。また、同様に、一つのファイルを複数のファイルに分割したり、ファイルを結合したりする場合にも、この管理情報の内容を書きかえることで実現する。
【００４６】
そして、ディスクＩ／Ｆ１０９は、ディスクＤが装着されたことに応じてディスクＤよりこの管理情報を読み出してディスク管理部１０８に送り、ディスク管理部１０８は内部のレジスタに管理情報を保存して、このレジスタ上で管理情報の内容を更新する。そして、更新した管理情報をディスクの排出タイミングや、その他の指定されたタイミングでディスクＩ／Ｆ１０９に送り、ディスクＤ上の決められた管理情報記録領域に保存する。
【００４７】
図８は、ディスク管理部１０７による部分削除の処理を示すフローチャートである。操作部１０６より一括部分削除の指示があると、フローが開始する。
【００４８】
まず、位置情報管理部１０８に保存されている位置情報リストに項目があるかどうかを確認する（Ｓ８０１）。無い場合は処理を終了する。
【００４９】
位置情報リストに項目がある場合は、位置情報リストの先頭項目の識別情報と位置情報を取得する（Ｓ８０２）。図７では、先頭項目の識別情報は「ＲＯＯＴ／ＭＯＶＩＥ／ＴＡＫＥ０」であり、位置情報は「５００秒」（５０３）である。
【００５０】
次に、取得した位置情報の値がＥＰとなっているか否かを判別し（Ｓ８０３）、ＥＰである場合には、このファイルは全て視聴済みだと判断して全て削除し、Ｓ８０５に進む（Ｓ８０８）。
【００５１】
また、位置情報がＥＰでは無かった場合、取得した識別情報「ＲＯＯＴ／ＭＯＶＩＥ／ＴＡＫＥ０」が示すファイルにおいて、取得した位置情報「５００ｓ」より前のデータを削除し（Ｓ８０４）、更に、処理したファイルの項目を位置情報リストから削除する（Ｓ８０５）。そして、位置情報リストに残りの項目があるか否かを確認し（Ｓ８０６）、残りの項目がある場合には次の項目の識別情報と位置情報を取得してＳ８０３に戻る（Ｓ８０７）。
【００５２】
ディスク管理部１０７は、これら一連の処理に伴って、管理情報における各ファイルのサイズの情報など、その内容を変更する。
【００５３】
この様に、本形態によれば、ディスクＤに記録された各ファイルの再生停止位置の情報を記憶しておき、一括削除の指示があると、各ファイルにおける再生停止位置以前のデータを自動的に削除するため、ユーザにとって既に視聴したデータのみを容易に削除して、ディスクの残容量を増加することができる。
【００５４】
そのため、ユーザは、ディスクの容量が少なくなった場合に、ディスクに記録されているファイルの内容を一つ一つ確認しながら、視聴した部分のデータを選択して削除するという操作を行わずに済む。
【００５５】
次に、図５、図７の停止位置リストを利用した部分再圧縮処理について説明する。前述の一括削除処理では、再生停止位置より前の部分のデータを削除していたが、部分再圧縮処理では、データを削除せずに、再生停止位置より前の部分のデータを別のファイルに分割すると共に、記録時よりも圧縮率を高くして再符号化することで、残容量を増加させる。
【００５６】
図９は、ディスク管理部１０７と制御部１０５による部分再圧縮処理を示すフローチャートである。操作部１０６により部分再圧縮の指示があるとフローが開始する。
【００５７】
まず、リストの何番目を処理するのかを示す値ｉを０にする（Ｓ９０１）。次に位置情報リストのｉ番目の項目に映像情報が登録されているかを確認する（Ｓ９０２）。位置情報リストのｉ番目に映像情報が登録されていない場合は一括分割再符号化を終了する。
【００５８】
位置情報リストのｉ番目に映像情報が登録されていた場合は、続いて、その項目の分割フラグが１かどうかを確認し、分割されて登録されたファイルかどうかを確認する（Ｓ９０３）。分割フラグが１の場合、つまり、分割後のファイルであった場合はｉに１を加え（Ｓ９１３）、Ｓ９０２に戻る。
【００５９】
分割後のファイルではなかった場合は、位置情報リストのｉ番目の識別情報と位置情報を取得する（Ｓ９０４）。例えば、図５、図７においてｉ＝０であれば識別情報は「ＲＯＯＴ／ＭＯＶＩＥ／ＴＡＫＥ０」であり、ｉ＝１であれば「ＲＯＯＴ／ＭＯＶＩＥ／ＴＡＫＥ３」また、ｉ＝０であれば位置情報は「５００ｓ」であり、ｉ＝１であれば「ＥＰ」である。更に、位置情報リストのｉ番目の分割後の識別情報を取得する（Ｓ９０５）。図７では、分割再符号化処理の前なので、分割後の識別情報には何も登録されていない。
【００６０】
続いて、取得した位置情報リストのｉ番目の位置情報がＥＰかどうかを確認する（Ｓ９０６）。例えば、図７におけるｉ＝１の場合のように、位置情報がＥＰであれば、識別情報「ＲＯＯＴ／ＭＯＶＩＥ／ＴＡＫＥ３」のファイルの画像データを全て、より少ない情報量になるよう再圧縮し、分割フラグに１を登録する（Ｓ９１１）。
【００６１】
また、図７におけるｉ＝０の場合の様に、識別情報「ＲＯＯＴ／ＭＯＶＩＥ／ＴＡＫＥ０」の位置情報がＥＰではない場合は、位置情報が指定した位置情報でファイルを分割し、位置情報をクリアする（Ｓ９０７）。このとき、位置情報より後方のファイルは識別情報を変えず、位置情報より前方のファイルに対して新たな識別情報を設ける。例えば、図７において、ｉ＝０の場合は、位置情報より後方の識別情報は「ＲＯＯＴ／ＭＯＶＩＥ／ＴＡＫＥ０」のままで、位置情報より前方のファイルの識別情報は新たに「ＲＯＯＴ／ＭＯＶＩＥ・ＴＡＫＥ４」となる。そして、位置情報より前方の画像データを、より情報量が少なくなるように再圧縮する（Ｓ９０８）。
【００６２】
ここで、再圧縮処理について説明する。
【００６３】
再圧縮処理を行う場合、ディスク管理部１０７は、Ｓ９０８あるいはＳ９１１にて指定されたデータを再生するようディスクＩ／Ｆ１０９を制御する。そして、ここで読み出したファイルに含まれる画像データの圧縮率の情報を検出し、一旦再生された画像データを復号した後、この圧縮率よりも高い所定の圧縮率にて再生した画像データを符号化するよう符号化処理部１０２を制御する。そして、この様に再圧縮した画像データを再びディスクＤに記録するようディスクＩ／Ｆ１０９を制御する。
【００６４】
また、ディスク管理部１０７は、この再圧縮処理に伴い、再圧縮する前のデータをディスクＤから削除し、その代わりに、再圧縮処理したファイルを追加記録する旨を示すよう管理情報の内容を書き換える。
【００６５】
この様に再圧縮処理を行った後、Ｓ９０５で取得した分割後の識別情報が位置情報リストに登録されているかを確認し（Ｓ９０９）、登録されていなければ分割後の識別情報の項目を新たに位置情報リストに追加し、その位置情報を「ＥＰ」とする（Ｓ９１０）。例えば、図７において、ｉ＝０であった場合は、位置情報より前方の映像情報の識別情報は、新たに「ＲＯＯＴ／ＭＯＶＩＥ／ＴＡＫＥ４」となるので、位置情報リストに、識別情報「ＲＯＯＴ／ＭＯＶＩＥ／ＴＡＫＥ４」位置情報「ＥＰ」で登録する。
【００６６】
また、Ｓ９０９において、既に分割ファイルの識別情報が位置情報リストに登録されていた場合は、再圧縮したデータを分割後の識別情報で特定されるデータへ結合する（Ｓ９１２）。
【００６７】
その後、ｉに１を加え、Ｓ９０２に戻る。
【００６８】
以上の手順で分割再圧縮を行うと、図７の位置情報リストは、図１０の分割再符号化後の位置情報リストとなる。
【００６９】
このときのディスクＤ上における各ファイルの様子を図１１に示す。
【００７０】
即ち、識別情報「ＲＯＯＴ／ＭＯＶＩＥ／ＴＡＫＥ０」のファイルは、鑑賞済み領域１１０１が先頭から５００ｓの位置までなので、先頭から「５００ｓ」の位置で分割され、未鑑賞部分１１０４のファイルは識別情報「ＲＯＯＴ／ＭＯＶＩＥ／ＴＡＫＥ０」のままとなり、鑑賞済みの領域１１０１は再圧縮処理により情報量を減らし、識別情報「ＲＯＯＴ／ＭＯＶＩＥ／ＴＡＫＥ４」で表される新たなファイル１１０７として記録する。このとき、識別情報「ＲＯＯＴ／ＭＯＶＩＥ／ＴＡＫＥ０」の位置情報５０３はクリアされ、分割後の識別情報として「ＲＯＯＴ／ＭＯＶＩＥ／ＴＡＫＥ４」が登録される。更に、新たな映像情報「ＲＯＯＴ／ＭＯＶＩＥ／ＴＡＫＥ４」が新たに位置情報リストに登録され、その位置情報が「ＥＰ」となる。
【００７１】
また、位置情報「ＲＯＯＴ／ＭＯＶＩＥ／ＴＡＫＥ３」のデータ１１０３は、全て鑑賞済みデータであったので、全てのデータを再符号化してその情報量を減少し（１１０７）、分割フラグに１をセットする。さらに、位置情報「ＲＯＯＴ／ＭＯＶＩＥ／ＴＡＫＥ１」のデータは、位置情報「ＲＯＯＴ／ＭＯＶＩＥ／ＴＡＫＥ０」のファイルと同様に、鑑賞済み領域１１０２が分割され、鑑賞済み部は新たな映像情報「ＲＯＯＴ／ＭＯＶＩＥ／ＴＡＫＥ５」のデータ１１０９として位置情報リストに登録される。
【００７２】
この様に、本形態によれば、ディスクＤに記録された各ファイルの再生停止位置の情報を記憶しておき、一括再圧縮の指示があると、各ファイルにおける再生停止位置以前のデータを自動的に別ファイルに分割して再圧縮処理するため、ユーザにとって既に視聴したデータの情報量を減らし、ディスクの残容量を増加することができる。
【００７３】
なお、本実施形態では、映像情報の識別情報として映像情報のファイルパスを使用して説明したが、ファイル名や記録メディアの規格で決められている各映像情報の識別番号などを使用しても映像情報を一意に特定できる情報であれば何ら問題は無い。また、分割されたファイルであることの特定は、位置情報リストに分割フラグを設ける方法でなくとも、再符号化されたものかどうかを判断できれば何ら問題は無い。
【００７４】
また、操作部１０６の指示により、ディスクＤ上の各ファイルにプロテクトを欠けられる様構成しておき、一括部分消去もしくは分割再符号化の指示を受け付けた場合に、プロテクトがかかっている場合には処理を行わないようにすることも可能である。
【００７５】
以上の処理を行うことにより、一括消去もしくは一括分割再符号化を行った場合でも、プロテクトのかかっている映像情報を、不用意に消去もしくは分割再符号化することが無くなる。
【００７６】
なお、一括削除、あるいは、分割再符号化処理において、先頭から再生停止位置までのデータを削除、あるいは再符号化していたが、例えば、再生停止位置よりも所定時間、例えば数秒前までのデータを削除、あるいは再符号化するようにしてもよい。
【００７７】
この様に、停止位置の所定期間前とすることで、停止位置の直前の部分のデータをそのまま残すことができ、ユーザがあとで再生した際に、内容を思い出すための助けになる。
【００７８】
また、再圧縮処理を行う際、ユーザが記録した番組の情報量が予めわかっており、その番組を記録可能なだけのディスク残量が残っていない場合、ユーザが記録したい番組の時間と記録データレート（圧縮率）を設定し、必要な記録容量を検出し、現在のディスク残量と必要な記録容量との差の分だけ、再圧縮処理により情報量を削減することも可能である。
【００７９】
また、前述の実施形態では、本発明をディスクレコーダに対して適用した場合について説明したが、これ以外にも、半導体メモリカードなどのランダムアクセス媒体に対して画像や音声などの情報データを記録再生する装置に対しても同様に本発明を適用可能である。
【図面の簡単な説明】
【００８０】
【図１】本発明が適用されるディスクレコーダの構成を示す図である。
【図２】本発明の実施形態のディスクレコーダにて用いられる光ディスクの様子を示す図である。
【図３】ディスク上のディレクトリ構成を示す図である。
【図４】記録データの記録時間を示す図である。
【図５】位置情報リストを示す図である。
【図６】位置情報リストの生成処理を示すフローチャートである。
【図７】位置情報リストを示す図である。
【図８】一括部分削除の処理を示すフローチャートである。
【図９】部分再圧縮処理を示すフローチャートである。
【図１０】再圧縮処理後の位置情報リスを示す図である。
【図１１】部分再圧縮処理時の記録データの様子を示す図である。
【図１】
2005235333.tif 000003
【図２】
2005235333.tif 000004
【図３】
2005235333.tif 000005
【図４】
2005235333.tif 000006
【図５】
2005235333.tif 000007
【図６】
2005235333.tif 000008
【図７】
2005235333.tif 000009
【図８】
2005235333.tif 000010
【図９】
2005235333.tif 000011
【図１０】
2005235333.tif 000012
【図１１】
2005235333.tif 000013